(57)【要約】【課題】鏡面板によって、店内装飾を取り替えることなくホール内の演出を簡単に変化させることができると共に、鏡面板の開成角度を容易を調整でき、同時にこの鏡面板を遊戯客の手荷物の置き台としても用いることのできる遊技機の島装置を提供する。【解決手段】  遊技機の島装置を構成する島本体が、その上部に設けられた幕板と、この幕板の前面側に開閉装置を介して開閉可能に取り付けられる鏡面板とを備え、前記幕板に換気口を設けると共に、前記開閉装置をフリーストップ機能を有するヒンジ装置とステーとで構成することにより、前記鏡面板を自由な開閉角度で保持できた上に、当該鏡面板を手荷物の置き台として利用できるようにすることで解決した。【選択図】図１
2010115374.tif 000002
【特許請求の範囲】
【請求項１】
複数の遊技機が並べて設置される遊技機の島装置であって、
この島装置を構成する島本体が、その上部に設けられた幕板と、この幕板の前面側に開閉装置を介して開閉可能に取り付けられる鏡面板とを備え、
前記幕板に換気口を設けると共に、前記開閉装置をフリーストップ機能を有するヒンジ装置とステーとで構成することにより、前記鏡面板を自由な開閉角度で保持できた上に、当該鏡面板を手荷物の置き台として利用できるように成したことを特徴とする、遊技機の島装置。
【請求項２】
請求項１において、
前記幕板は、その上端部側においてヒンジ装置を介して、前記島本体へ開閉可能に取り付けられていることを特徴とする、請求項１に記載の遊技機の島装置。
【請求項３】
請求項２において、
前記幕板は、その下端部側を前記島本体に対してヒンジ装置を介して開閉可能に取り付けられ、その上端部側を当該島本体の天板に係止手段によって係支されていることを特徴とする、請求項１に記載の遊技機の島装置。
【請求項４】
前記鏡面板が、遊戯機ごとに設置されていることを特徴とする、請求項１に記載の遊技機の島装置。
【発明の詳細な説明】
【技術分野】
【０００１】
本発明は、パチンコやパチスロなどの遊技機が複数台設置される遊技機の島装置の技術分野に関する。
【背景技術】
【０００２】
従来、遊技機は島或は島装置と称せられる取り付け台に並列して取り付けられている。このような島装置として、特許文献１に記載されたような構成のものが公知である（図５参照）。これらの遊技機の島装置においては、各遊技機の上部に鏡面板付きの幕板が取り付けられている。
【０００３】
また、島装置の中には、従業員が入れるスペースを有するものと、有しないものとがあり、後者は島装置の設置スペースを省略してホール内に設置する遊技機の数を増やすことのできる利点がある。
【特許文献１】特開２００３−１９９９６２号公報
【発明の開示】
【発明が解決しようとする課題】
【０００４】
上記特許文献１に記載されているように、島装置の幕板の前面を鏡面板付きとすれば、遊技場（以下単に「ホール」という。）内を煌びやかに演出して空間に広がりを持たせることが可能である。また、幕板に角度をつけることで、ホールの従業員が遊戯者の手元を覗き込まなくとも、その後側に居て、その手元を鏡面板を介して見ることができるようにすることで、不正行為を発見し易いといった効果も期待できる。
【０００５】
しかしながら、常連客にとってはそのような煌びやかな演出自体に慣れが生じ、慣れと共に演出による顧客満足は低下してしまう。一方で、短期間のサイクルで店内の装飾などを変更すれば、顧客の演出に対する慣れを防止することができるものの、相応の費用を必要とすることになる。
【０００６】
また、ホール内に設置される遊技機は定期的に（または不定期的に）取り替えられるが、遊技機の種類によって顧客の不正行為を発見するために、最適なように鏡面板付きの幕板の角度を変化させる必要性の生じる場合もある。さらに、従来のホールは遊戯客の手荷物を置く場所がなく、不便な場合がある。また、鏡面板付きの幕板に角度をつけたとしても、それが固定されている場合には、それぞれの島装置を担当するホール従業員の身長等によって幕板の最適な角度は変化し得る。
【０００７】
そこで本発明は、鏡面板によって、店内装飾を取り替えることなくホール内の演出を簡単に変化させることができると共に、鏡面板の開成角度を容易を調整でき、同時にこの鏡面板を遊戯客の手荷物の置き台としても使用することのできる遊技機の島装置を提供することをその課題としている。
【課題を解決するための手段】
【０００８】
上述した課題を解決するために本発明は、複数の遊技機が並べて設置される遊技機の島装置であって、この島装置を構成する島本体が、その上部に設けられた幕板と、この幕板の前面側に開閉装置を介して開閉可能に取り付けられる鏡面板とを備え、前記幕板に換気口を設けると共に、前記開閉装置をフリーストップ機能を有するヒンジ装置とステーとで構成することにより、前記鏡面板を自由な開閉角度で保持できた上に、当該鏡面板を手荷物の置き台として利用できるように成したことを特徴とする。
【０００９】
その際に本発明は、前記幕板は、その上端部側においてヒンジ装置を介して、前記島本体へ開閉可能に取り付けられていることを特徴とする。
【００１０】
さらに、本発明は、前記幕板は、その下端部側を前記島本体に対してヒンジ装置を介して開閉可能に取り付けられ、その上端部側を当該島本体の天板に係止手段によって係支されていることを特徴とする。
【００１１】
そして、本発明は、前記鏡面板が、遊戯機ごとに設置されていることを特徴とする。
【発明の効果】
【００１２】
以上のような構成を採用したことによって、幕板に対して鏡面板の角度を自由に調整することが可能となり、店内装飾を取り替えることなくホール内の演出を簡単に変化させることができる。
【００１３】
また、前記幕板に、当該幕板を閉じた状態において前記島本体内部と外部とを連通する換気口を設けることにより、島本体内の空気を入れ替えることが可能となる。例えば島本体内は複数の遊技機の裏側に設置されている種々の電子機器より発せられる熱により相当程度に熱くなる。この熱が過度になれば、遊技機の電子機器を劣化させ、誤作動を起こさせるなどの影響を生じさせる恐れがある。しかし、この換気口から、島本体の内部で発生する熱を島本体の外に排出することができるため、このような不具合を未然に防止することができる。
【００１４】
また、フリーストップヒンジ機能を有するヒンジ装置によって開閉装置を構成すれば、鏡面板を無段階の任意の開閉位置で停止保持できる。
【００１５】
また、前記幕板および前記鏡面板が、遊技機１台毎に設置され、且つ前記遊技機１台毎に独立して開閉できるように構成すれば、ホール内の演出に多様性を持たせることができることに加えて、状況に応じて特定の遊技機についてのみ異なる開閉角度に調整し、例えば不正行為を効果的に防止することが可能となる。
【００１６】
本発明を適用することにより、店内の装飾等を取り替えることなく、簡易な構成でホール内の演出を変化させることができる。
【発明を実施するための最良の形態】
【００１７】
以下、添付図面を参照しつつ、本発明の実施形態の一例について詳細に説明する。
【００１８】
図１は、本発明の実施形態の一例である遊技機の島装置の斜視図である。図２は、遊技機の島装置の上部に取り付けられる幕板と鏡面板を示した図であって（Ａ）が上面図、（Ｂ）が正面図である。図３は、遊技機の島装置の上部に取り付けられる幕板および鏡面板を示した断面図であって、鏡面板を閉じた状態を示した図である。図４は、遊技機の島装置の上部に取り付けられる幕板および鏡面板を示した断面図であって、鏡面板を開いた状態を示した図である。なお、説明容易のため図面に応じて縮尺を誇張して表現していることから、夫々の図面において部材の縮尺や構成比率が異なっている場合がある。
【００１９】
<遊技機の島装置の構成>
【００２０】
本発明の実施形態の一例である遊技機の島装置１は、複数の遊技機を並列設置する島本体２を中心に構成されている。島本体２の大きさは設置状況により適宜変更することが可能である。
【００２１】
島本体２は、例えば長いボックス状のものであり、その両側は取付台２Ａが設けられ、この取付台２Ａに複数の遊技機３を取り付けられる構成となっている。図示のものでは、遊技機３はその一部を図示してあるが、この台数に限定はなくホールの大きさによって変化する。また、島本体２がホールの壁側に設置されるときには、遊技機３は片側にのみ設置される。したがって、本願明細書において、島装置とは、遊技機を島本体の片側に設置した場合と両側に設置した場合の両方を含んでいるが、以下の説明においては、島本体の片側のみを説明する。
【００２２】
また、取付台２Ａより前側へ延出させて棚２Ｂが設けられており、賞球（球やコインなど）を入れる箱を置いたり、遊技者（顧客）がタバコなどを置いたりすることが可能となっている。
【００２３】
島本体２には、各遊技機３の上方に位置して幕板５が第１ヒンジ装置４を介して開閉可能に取り付けられている。本実施形態においては、この幕板５は１枚の長板部材で構成されており、設置されている複数台の遊技機３に跨って設置されているが、この長さに限定はない。各遊技機３毎に設置されても良い。また、幕板５の取付方法についてもとくに限定はなく、島本体２の仕切り、その他の個所に、開閉可能に取り付けられる。図示のものは、第１ヒンジ装置４が島本体２の天板２Ｔに取り付けられ、幕板５の上端部がこの第１ヒンジ装置４へ取り付けられる構成となっている（図３参照）。このように構成すると、幕板５に手が届き易いので、脚立などを用いなくとも幕板の開閉を行うことができる。がしかし、幕板５の下端部側を第１ヒンジ装置を介して島本体２側に開閉可能に取り付け、その上部を天板２Ｔに図示してない係止手段で係止するように構成しても良い。
【００２４】
次に、この幕板５には複数の換気口５Ａが設けられている。本実施形態においては、１枚の幕板５に対して３つの換気口５Ａが設けられている（図２参照）。この換気口５Ａは、幕板５の正面側から裏面側にかけて貫通（連通）していることから、幕板５を閉じた状態においても、後述する鏡面板６を開くと、島本体２の内部から外部へと、また、外部から内部へと空気を通すことが可能となっている。また、幕板５の裏面には、当該換気口５Ａを覆うように多数の小孔１０Ａを設けたパネル１０が設けられており、連通状態を保持しつつ島本体２の内部を覗くことができないようになっている。尚、この幕板５は、島本体２に対して開閉可能に取り付けなくともよく、例えば島本体２に固着されても良い。
【００２５】
次に、幕板５の前面側の下部には、当該幕板５と略同じ大きさ・形状の鏡面板６が開閉装置８を介して開閉可能に取り付けられている（図３参照）。この鏡面板６は、板材に板状の鏡を取り付けたもの、あるいは鏡面仕上げの樹脂製板を板材に取り付けたもの等が考えられるが、これらのものに限定されない。板材を薄板状に構成し、枠体を介してその前面に鏡面板６を、後面を板材をそれぞれ固着するようにしても良い。要するに鏡と同じ機能を有するものであれば足りる。また、この鏡面板６の大きさも実施の形態のものに限定されず、個々の遊技機３毎に設けられても良い。さらに、この鏡面板６は幕板５以外の島本体２の適宜箇所に取り付けられても良い。
【００２６】
開閉装置８は、この実施の形態では、鏡面板６の下部側を幕板５へ取り付ける、フリーストップ機構付の第２ヒンジ装置９と、鏡面板６の開成角度を規制するステー７とで構成されている。このフリーストップ機構付の第２ヒンジ装置９は、例えば、栃木屋製のＴＨ１２５型のものを用いた。このＴＨ１２５型は、トルク有効範囲が取付面から１８０°で、鏡面板６の重量にあったトルクのものを選択して使用した。基本的には、鏡面板６に対して所定間隔をおいて２個使用することを原則とする。
【００２７】
ステー７としては、とくにその構成に限定はないが、鏡面板６はこのステー７によってその開成角度が規制されることになる。即ち、このステー７には、中折れをする蝶番式のものを用いているが、スライド式のものでも良い。また、このステー７がその長さを調節できる調節手段付きのものであれば、この調節手段を用いて鏡面板６の開成角度を調節できることになる。
【００２８】
次に、このステー７にフリクション手段付のものを用いれば、フリーストップ機構付きの第２ヒンジ装置９を通常のヒンジとすることも可能である。
【００２９】
また、鏡面板６は、必ずしも全面が鏡面である必要はなく、少なくとも手前面（正面、前面）のみが鏡面として構成されていれば足りる。
【００３０】
<遊技機の島装置の作用>
【００３１】
遊技機の島装置１には様々な作用があるが、ここでは本発明の特徴的な部分である幕板５と鏡面板６の部分に焦点を当ててその作用を説明する。
【００３２】
通常時、幕板５は島本体２に対して閉じられた状態となっている。そのため、鏡面板６が開かれていても、幕板５が島本体２の上部側前面を覆っているので、島本体２内へ物が投げ入れられたり、悪戯されたりする心配がない。また、幕板５が開かれるときは、例えば、遊技機３に供給される球やコインの循環経路に詰まりが生じたような場合や、その他メンテナンス作業を行う場合が主である。
【００３３】
島本体２には通常複数台の遊技機３が設置されているため、これら複数台の遊技機３が一斉に稼動すると相応の熱が発生する。そのため、島本体２の内部に熱が篭る状況が発生する。この熱が過度になれば、遊技機３の動作に影響が生じる場合もある。しかしながら、本発明に係る遊技機の島装置１においては、幕板５に当該幕板５を閉じた状態において島本体２の内部と外部とを連通する換気口５Ａを設けていることから、鏡面板６を開くことにより、島本体２内の熱い空気を換気口５Ａを介して適宜外部へと逃がすことが可能となっており、このような不具合を未然に防止することができる。幕板５は遊技機３や遊技玉の循環装置等に故障の生じた場合に、図示のものは下側より開けて島本体２内部を点検することになる。したがって、図示はしてないが、幕板５を開いた際にこれを保持する手段が設けられていることが望ましい。
【００３４】
また、実施形態における鏡面板６は、第２ヒンジ装置９の存在によってフリーストップに開閉させることが可能となっているため、必要に応じて開閉角度を変えることによって、鏡面板６への映り込みの状況を変化させ、店内装飾を取り替えることなく結果的にホール内の演出を簡単に変化させることができる。また、上記鏡面板６の自由な開閉角度により、ホール内に設置される遊技機３が取り替えられた場合であっても、当該遊技機に応じた開閉角度に容易に調整できる。さらに、それぞれの島装置１を担当するホール従業員の身長等に合わせて適切な開閉角度に容易に調整することができる。
【００３５】
また、本実施の形態においては、幕板５と鏡面板６とを連結するステー７が備わっており、当該ステー７により幕板５に対する鏡面板６の開閉角度を制限するような構成を採用している。それ故、万が一第２ヒンジ装置９に不具合が生じ、開閉位置の停止保持状態が解かれた場合においても、鏡面板６が回動し過ぎること（即ち手前側下方に回動して落ちてくること）を防止することができ、事故等を未然に防止することが可能となっている。さらに、このステー７により、開いた鏡面板６の上面に手荷物を置いても、あまり重量のあるものをのぞいて、鏡面板６が手荷物の重みにより垂れてきてしまうことなく、手荷物の置き台としても利用できることになる。
【００３６】
なお、上記説明した構成とは異なるが、上述したように、例えば、鏡面板６のみを、若しくは鏡面板６と幕板５とを１台の遊技機３毎に独立して設置し、且つ、１台の遊技機３毎に独立して開成可能に構成すれば、ホール内の演出に多様性を持たせることができることに加えて、状況に応じて特定の遊技機３についてのみ異なる角度に調整し、不正行為を効果的に防止することも可能となっている。
【００３７】
さらに、本発明によれば、勝っているときには鏡面板６によって、外部へ誇示して遊戯客の優越感を満たしてやることができ、隣接する遊技機の遊戯客同士においても隣を覗き込むことなく出球の状況を把握することができるものである。
【産業上の利用可能性】
【００３８】
本発明は、パチンコやパチスロに代表される遊技機を設置するパチンコホール、パチスロホールをはじめ、ゲームセンターやカジノなどで好適に利用できる。
【図面の簡単な説明】
【００３９】
【図１】本発明の実施形態の一例である遊技機の島装置の斜視図である。
【図２】遊技機の島装置の上部に取り付けられる幕板および鏡面板を示した図であって（Ａ）が上面図、（Ｂ）が正面図である。
【図３】遊技機の島装置の上部に取り付けられる幕板および鏡面板を示した断面図である。
【図４】遊技機の島装置の上部に取り付けられる幕板および鏡面板を示した断面図であって、鏡面板を開いた状態を示した図である。
【符号の説明】
【００４０】
１…島装置
２…島本体
２Ａ…取付台
２Ｂ…棚
２Ｔ…天板
３…遊技機
４…第１ヒンジ装置
５…幕板
５Ａ…換気口
６…鏡面板
７…ステー
８…開閉装置
９…第２ヒンジ装置
１０…パネル
【図１】
2010115374.tif 000003
【図２】
2010115374.tif 000004
【図３】
2010115374.tif 000005
【図４】
2010115374.tif 000006